(57)【要約】【課題】トリミング室を見たときに今までと違った清潔感、安心感を飼い主に感じさせる。【解決手段】バスタブ2は樹脂一体成形品であり、例えばパステルグリーン、パステルピンクに着色されている。バスタブ2は横フランジ部202aと外端垂下フランジ部202bとを有し、外端垂下フランジ部202bの下端が、側面視したときに、メインフレーム8と干渉する。バスタブ2の横フランジ部202aと、バスタブ本体200の底200aとに、合計４本の鉛直方向下方に延びるボルト12が植設され、このボルト12は、バスタブ2を支えるメインフレーム8やサブフレーム14に形成された貫通孔16、18に挿入され、その下端に蝶ナット22が螺着される。【選択図】図3
2011030516.tif 000002
【特許請求の範囲】
【請求項１】
高さ調整可能な脚部を含む金属製のフレームに支えられたバスタブを有するペット浴槽であって、
前記バスタブが、バスタブ本体の上端縁に沿って全周に亘って延びる周囲フランジを有し、
該周囲フランジが、横方向外方に延びる横フランジ部と、該横フランジ部の外端から下方に垂下した外端垂下フランジ部とを有し、
前記バスタブには、鉛直方向下方に延びるボルトが植設され、
前記フレームには、該ボルトを受け入れる貫通孔が形成され、
前記バスタブを前記フレームの上方から設置したときに、前記バスタブの前記ボルトが前記フレームの貫通孔に受け入れられて、該フレームに対する前記バスタブの位置決めが行われると共に、該ボルトの下端にナットを螺着することで前記フレームに対して前記バスタブが固定されることを特徴とするペット浴槽。
【請求項２】
前記フレームが、バスタブの前記横フランジ部に沿って延びるメインフレームを有し、
該メインフレームと前記横フランジ部との間にスペーサが介装されると共に、前記外端垂下フランジ部の下端が、側面視したときに前記メインフレームと干渉している、請求項１に記載のペット浴槽。
【請求項３】
前記バスタブの底から床面までのスペースが前後に開放した開放空間で構成されている、請求項２に記載のペット浴槽。
【発明の詳細な説明】
【技術分野】
【０００１】
本発明は、ペット浴槽に関し、典型的には、動物病院やペットショップなどの専門業者がペットをシャンプーするサービスを提供するのに好都合な浴槽に関する。
【背景技術】
【０００２】
ペットの健康管理において定期的なシャンプーやブラッシングは欠かせないため様々なペット浴槽が開発されている（特許文献１、２など）。動物病院やペットショップでは、一般的に、ペットのトリミングを行うサービスにシャンプーが含まれる。このような専門業者を対象にしたペット浴槽は脚付きのバスタブで構成され、トリマーが立った姿勢でペットを取り扱うことができるようになっている。具体的には、平面視矩形のバスタブと、このバスタブの四隅から下方に延びる脚とで構成されているが、従来のペット浴槽はその全ての要素がステンレス鋼で作られている。
【先行技術文献】
【特許文献】
【０００３】
【特許文献１】実開平０６−７９２５１号公報
【特許文献２】特開２００５−２２４３５３号公報
【発明の概要】
【発明が解決しようとする課題】
【０００４】
全体がステンレス鋼で構成されていることからも分かるように、従来のペット浴槽はペット浴槽の清掃や保守・衛生管理を主眼に開発されているのが現状である。
【０００５】
ペットショップやトリミングを専業とする業者は例えばガラス張りのトリミング室を用意して、シャンプーやトリミング中のペットの様子を外部から見えるようにしていることが多い。このような外部から覗き見ることのできるトリミング室はその室内装飾が重視される。
【０００６】
本発明の目的は、飼い主がトリミング室を見たときに今までと違った清潔感、美感、安心感を感じ取ることのできるペット浴槽を提供することにある。
【課題を解決するための手段】
【０００７】
上記の技術的課題は、本発明によれば、
高さ調整可能な脚部を含む金属製のフレームに支えられたバスタブを有するペット浴槽であって、
前記バスタブが、バスタブ本体の上端縁に沿って全周に亘って延びる周囲フランジを有し、
該周囲フランジが、横方向外方に延びる横フランジ部と、該横フランジ部の外端から下方に垂下した外端垂下フランジ部とを有し、
前記バスタブには、鉛直方向下方に延びるボルトが植設され、
前記フレームには、該ボルトを受け入れる貫通孔が形成され、
前記バスタブを前記フレームの上方から設置したときに、前記バスタブの前記ボルトが前記フレームの貫通孔に受け入れられて、該フレームに対する前記バスタブの位置決めが行われると共に、該ボルトの下端にナットを螺着することで前記フレームに対して前記バスタブが固定されることを特徴とするペット浴槽を提供することにより達成される。
【０００８】
すなわち、本発明によれば、ペット浴槽のバスタブを樹脂成形品で作ってあるため、任意の色で着色することができる。また、このバスタブは上記のナットを取り外すことでフレームから容易に離脱させることができるため、バスタブの交換が可能である。したがって、バスタブが損傷したとか、バスタブの色を変更したいときに、専門業者だけでなく、ユーザの手でその交換作業を行うことができる。また、バスタブに植設したボルトが鉛直方向に延びているため、このボルトがフレームの貫通孔に侵入するようにしながらバスタブを下降させることで、バスタブのフレームに対する実質的な位置決めを行うことができる。
【０００９】
着色したバスタブ及びこのバスタブが交換可能であるため、ユーザはトリミング室の装飾や雰囲気に合致した色のバスタブを選択することで、トリミング室の色や雰囲気に調和したペット浴槽にすることができる。また、バスタブが損傷したりトリミング室の配色替えなどの際にバスタブを交換することができる。このことから、ペットの飼い主に対して清潔感、美感や安心感を提供することができる。
【００１０】
本発明の好ましい実施の形態では、
前記フレームが、バスタブの前記横フランジ部に対応して該横フランジ部に沿って延びるメインフレームを有し、
該メインフレームと前記横フランジ部との間にスペーサが介装されると共に、前記外端垂下フランジ部の下端が側面視したときに、前記メインフレームと干渉している。
この好ましい実施の形態によれば、バスタブの外端垂下フランジ部の下端がメインフレームと側面視したときに干渉しているため、バスタブをフレームに組み付けるときに、上記のボルトと貫通孔と共に、外端垂下フランジ部とメインフレームとの干渉によって、フレームに対してバスタブを位置決めすることができる。
【００１１】
本発明の好ましい実施の形態では、
前記フレームが、前記バスタブ本体の底を支持する閉断面構造のサブフレームを有し、該サブフレームに前記ボルトを受け入れる貫通孔が形成されている。この構成を採用することで、バスタブの底がサブフレームによって直接的に支持されるため、お湯を充填したバスタブの重量を安定的に支えることができると共に、このバスタブの底に植設したボルトと、これを受け入れるサブフレームの貫通孔とによって、フレームに対するバスタブの位置決めを確かなものにすることができる。
【００１２】
本発明の好ましい実施の形態では、前記バスタブから床面までのスペースが前後に開放した開放空間で構成されており、これによりバスタブと床面との間の掃除が容易になる。
【図面の簡単な説明】
【００１３】
【図１】実施例のペット浴槽の斜視図である。
【図２】図１のペット浴槽の平面図である。
【図３】図１のペット浴槽の正面図である。
【図４】図１のペット浴槽の側面図である。
【図５】実施例に含まれる樹脂成形品のバスタブの長手方向一端側から見た図である。
【図６】図２のVI−VI線に沿った断面図である。
【図７】図２のVII−VII線に沿った断面図である。
【図８】バスタブの底に植設されたボルトを示すためのバスタブの部分断面図である。
【図９】図４の矢印IXで示す部分拡大断面図である。
【発明を実施するための形態】
【実施例】
【００１４】
以下に、添付の図面に基づいて本発明の好ましい実施例を説明する。
図１は実施例のペット浴槽の斜視図であり、図２は平面図、図３は正面図、図４は側面図である。図１〜図４を参照して、実施例のペット浴槽１は、平面視略長方形のバスタブ２と、このバスタブ２の長手方向両端から延びる左右一対の脚板部４、４とを有し、各脚板部４の下端に、高さ調整可能な複数のフット部材６が取り付けられている。なお、左右の脚板部４は、後に説明するフレーム８と側板４００とで構成され、側板４００の下端縁に沿って前後方向に延びるフレーム８に上述したフット部材６が取り付けられている。勿論、側板４００は必須ではなく、フレーム８と高さ調整可能なフット部材６とで、実質的に、ペット浴槽１の高さ調整可能な脚部が構成されている。なお、フレーム８及び側板４００はステンレス鋼から作られている。
【００１５】
バスタブ２は、成形型を使った樹脂一体成形品であり、樹脂成形の際に添加される着色は、例えばパステルグリーン、パステルピンクなど、柔らかな印象を与える色合いの色が採用される。バスタブ２は、図５、図６から最も良く分かるように、バスタブ本体２００の上端縁に沿って全周に亘って延びる周囲フランジ２０２を有し、この周囲フランジ２０２は、横方向外方（典型的には水平方向外方）に延びる横フランジ部２０２ａと、その外端から下方に垂下した外端垂下フランジ部２０２ｂとを有している。
【００１６】
バスタブ２は、図２に破線で示すように、バスタブ２の周囲フランジ２０２に沿って延びるメインフレーム８によって支持されており、また、メインフレーム８と周囲フランジ２０２との間には、図６から最も良く分かるように、木片からなるスペーサ１０が介装されている。図６の参照符号Ｈはスペーサ１０の高さを示す。このスペーサ１０の高さＨの値は、周囲フランジ２０２の外端垂下フランジ部２０２ｂの下端が、側面視したときに、メインフレーム８と干渉するように設定され、この外端垂下フランジ部２０２ｂとメインフレーム８との干渉により、バスタブ２は、その周囲を包囲するメインフレーム８に対して位置決めされる。また、外端垂下フランジ２０２ｂによって木片であるスペーサ１０を覆い隠すことができるため、ペット浴槽１の外観を向上することができる。
【００１７】
バスタブ２は、図２から最もよく分かるように、バスタブ本体２００の底２００ａの中央に平面視円形の凹所（ダストボックス）を備えた排水口２０４を有している。このダストボックス付き排水口２０４は、当業者であれば直ぐに分かるように、大きな直径Ｄを有しており、この大きな直径の排水口２０４によって、ペットをシャンプーした後に洗い落ちる毛が大量であったとしても円滑に排水することができる。
【００１８】
バスタブ２の周囲フランジ２０２の横フランジ部２０２ａと、バスタブ本体２００の底とに、合計４本のボルト１２が植設されている。具体的には、バスタブ２の一側では、横フランジ部２０２ａに２本のボルト１２が鉛直方向下方に向けて配設され（図７）、バスタブ２の他側では、バスタブ２の底に２本のボルト１２が鉛直方向下方に向けて配設されている（図８）。
【００１９】
図７〜図９を参照して、各ボルト１２は、平らなプレートで構成された平ヘッド１２ａと、この平ヘッド１２ａの中央から鉛直方向下方に向けて延びるネジ部１２ｂとを有し、平ヘッド１２ａがバスタブ２に固設されることにより、各ボルト１２がバスタブ２に一体化されている。
【００２０】
図９は、バスタブ本体２００の底２０２ａとメインフレーム８との関係を示す。バスタブ２を支持するフレームは、縦及び横に延びて主要な骨格を構成するメインフレーム８と、これを補強するサブフレーム１４とで構成されている。バスタブ２は、その周囲フランジ２０２とメインフレーム８との間に木片からなるスペーサ１０が配設されているのは上述した通りであるが、バスタブ２の底２００ａとメインフレーム８との間には、互いに平行に延びるメインフレーム８、８の間を横断して延びるサブフレーム１４が介装されている。サブフレーム１４は矩形の閉断面構造を有し、金属製（典型的にはステンレス鋼）である。すなわち、バスタブ２は、閉断面構造のサブフレーム１４の上に載置されている。
【００２１】
引き続き図９を参照して、サブフレーム１４には、その上方水平壁１４ａと下方水平壁１４ｂに第１の貫通孔１６を有し、この上下の水平壁１４ａ、１４ｂの第１の貫通孔１６は、鉛直方向に延びる同一の軸線上に配置されている。また、この第１の貫通孔１６と同軸に、メインフレーム８にも第２の貫通孔１８が形成されている。これら第１、第２の貫通孔１６、１８の直径は、バスタブ２の底２０２ａに植設されたボルト１２を受け入れるために、このボルト１２の直径よりも若干大きな値に設定されている。
【００２２】
図示を省略したが、周囲フランジ２０２をスペーサ（木片）１０を介して支持するメインフレーム８にも、バスタブ２の周囲フランジ２０２のボルト１２を受け入れる貫通孔（図示せず）が形成されており、この貫通孔の直径は、ボルト１２の直径よりも若干大きな値に設定されている。
【００２３】
バスタブ２をメインフレーム８に設置するには、メインフレーム８の上からバスタブ２を挿入して、バスタブ２の周囲フランジ２０２がメインフレーム８の上に来るように位置合わせしながら、このバスタブ２を静かに降下させる。これにより、バスタブ２の４本のボルト１２の各々が、これに対応する貫通孔１６、１８に侵入することで仮位置決めが完了する。バスタブ２の外端垂下フランジ部２０２ｂの下端がメインフレーム８と側面視で干渉しているのを確認したら、４本のボルト１２に蝶ナット２２を螺着させ、この蝶ナット２２を締め込むことでバスタブ２の組み付けが完了する。
【００２４】
勿論、上記の組み付け作業とは逆の作業を行うことで、バスタブ２をメインフレーム８から取り外すことができる。このように、バスタブ２がメインフレーム８に対して脱着可能であることから、例えばトリミング室の内装を色替えしたり、バスタブ２の一部に傷が付いたときには、メインフレーム８をそのまま使ってバスタブ２だけを交換することで新しいペット浴槽になる。
【００２５】
なお、バスタブ２の下方領域は、床面との間のスペースが左右一対の脚板４、４で仕切られているが、前後に向けて開放した開放空間となっており、これによりバスタブ２の下の床の掃除が容易であるという利点がある。
【符号の説明】
【００２６】
１        ペット浴槽
２        バスタブ
２００    バスタブ本体
２００ａ  バスタブの底
２０２    周囲フランジ
２０２ａ  横フランジ部
２０２ｂ  外端垂下フランジ部２０２ｂ
２０４    排水口
６        フット部材（高さ調整可能）
８        メインフレーム
１０      木片（スペーサ）
１２      ボルト
１２ａ    平ヘッド
１２ｂ    ネジ部
１４      サブフレーム
１４ａ    上方水平壁
１４ｂ    下方水平壁
１６      第１貫通穴（サブフレーム）
１８      第２貫通孔（メインフレーム）
２２      蝶ナット
【図１】
2011030516.tif 000003
【図２】
2011030516.tif 000004
【図３】
2011030516.tif 000005
【図４】
2011030516.tif 000006
【図５】
2011030516.tif 000007
【図６】
2011030516.tif 000008
【図７】
2011030516.tif 000009
【図８】
2011030516.tif 000010
【図９】
2011030516.tif 000011
【手続補正書】
【提出日】平成21年8月7日(2009.8.7)
【手続補正１】
【補正対象書類名】明細書
【補正対象項目名】全文
【補正方法】変更
【補正の内容】
【発明の詳細な説明】
【技術分野】
【０００１】
本発明は、ペット浴槽に関し、典型的には、動物病院やペットショップなどの専門業者がペットをシャンプーするサービスを提供するのに好都合な浴槽に関する。
【背景技術】
【０００２】
ペットの健康管理において定期的なシャンプーやブラッシングは欠かせないため様々なペット浴槽が開発されている（特許文献１、２など）。動物病院やペットショップでは、一般的に、ペットのトリミングを行うサービスにシャンプーが含まれる。このような専門業者を対象にしたペット浴槽は脚付きのバスタブで構成され、トリマーが立った姿勢でペットを取り扱うことができるようになっている。具体的には、平面視矩形のバスタブと、このバスタブの四隅から下方に延びる脚とで構成されているが、従来のペット浴槽はその全ての要素がステンレス鋼で作られている。
【先行技術文献】
【特許文献】
【０００３】
【特許文献１】実開平０６−７９２５１号公報
【特許文献２】特開２００５−２２４３５３号公報
【発明の概要】
【発明が解決しようとする課題】
【０００４】
全体がステンレス鋼で構成されていることからも分かるように、従来のペット浴槽はペット浴槽の清掃や保守・衛生管理を主眼に開発されているのが現状である。
【０００５】
ペットショップやトリミングを専業とする業者は例えばガラス張りのトリミング室を用意して、シャンプーやトリミング中のペットの様子を外部から見えるようにしていることが多い。このような外部から覗き見ることのできるトリミング室はその室内装飾が重視される。
【０００６】
本発明の目的は、飼い主がトリミング室を見たときに今までと違った清潔感、美感、安心感を感じ取ることのできるペット浴槽を提供することにある。
【課題を解決するための手段】
【０００７】
上記の技術的課題は、本発明によれば、
高さ調整可能な脚部を含む金属製のフレームに脱着可能に支えられた合成樹脂製のバスタブを有するペット浴槽であって、
前記バスタブが、バスタブ本体の上端縁に沿って全周に亘って延びる周囲フランジを有し、
該周囲フランジが、横方向外方に延びる横フランジ部と、該横フランジ部の外端から下方に垂下した外端垂下フランジ部とを有し、
前記フレームが、前記バスタブの前記横フランジ部の下に位置して該バスタブを包囲するメインフレームを有し、
前記バスタブを前記フレームの上方から設置したときに、前記メインフレームの上端部が、側面視したときに、前記周囲フランジの前記外端垂下フランジ部によって覆い隠されていることを特徴とするペット浴槽を提供することにより達成される。
【０００８】
すなわち、本発明によれば、ペット浴槽のバスタブを樹脂成形品で作ってあるため、任意の色で着色することができる。着色したバスタブ及びこのバスタブが交換可能であるため、ユーザはトリミング室の装飾や雰囲気に合致した色のバスタブを選択することで、トリミング室の色や雰囲気に調和したペット浴槽にすることができる。また、バスタブが損傷したりトリミング室の配色替えなどの際にバスタブを交換することができる。このことから、ペットの飼い主に対して清潔感、美感や安心感を提供することができる。
【０００９】
本発明の好ましい実施の形態では、
前記バスタブが、該バスタブに植設された鉛直方向下方に延びる複数のボルトを有し、
前記フレームには、各ボルトを受け入れる貫通孔が形成され、
前記バスタブを前記フレームの上方から設置したときに、前記バスタブの前記ボルトが前記フレームの対応する貫通孔に受け入れられて、該フレームに対する前記バスタブの位置決めが行われると共に、該ボルトの下端にナットを螺着することで前記フレームに対して前記バスタブが固定される。
【００１０】
この好ましい実施の形態によれば、このバスタブは上記のナットを取り外すことでフレームから容易に離脱させることができるため、バスタブの交換が可能である。したがって、バスタブが損傷したとか、バスタブの色を変更したいときに、専門業者だけでなく、ユーザの手でその交換作業を行うことができる。また、バスタブに植設したボルトが鉛直方向に延びているため、このボルトがフレームの貫通孔に侵入するようにしながらバスタブを下降させることで、バスタブのフレームに対する実質的な位置決めを行うことができる。
【００１１】
本発明の好ましい実施の形態では、
前記バスタブの前記横フランジ部に沿って延びる前記メインフレームと、該メインフレームと前記横フランジ部との間にスペーサが介装されると共に、前記外端垂下フランジ部の下端が、側面視したときに前記メインフレームと干渉している。
この好ましい実施の形態によれば、バスタブの外端垂下フランジ部の下端がメインフレームと側面視したときに干渉しているため、バスタブをフレームに組み付けるときに、上記のボルトと貫通孔と共に、外端垂下フランジ部とメインフレームとの干渉によって、フレームに対してバスタブを位置決めすることができる。
【００１２】
本発明の好ましい実施の形態では、
前記フレームが、前記バスタブ本体の底を支持する閉断面構造のサブフレームを有し、該サブフレームに前記ボルトを受け入れる貫通孔が形成されている。この構成を採用することで、バスタブの底がサブフレームによって直接的に支持されるため、お湯を充填したバスタブの重量を安定的に支えることができると共に、このバスタブの底に植設したボルトと、これを受け入れるサブフレームの貫通孔とによって、フレームに対するバスタブの位置決めを確かなものにすることができる。
【００１３】
本発明の好ましい実施の形態では、前記バスタブから床面までのスペースが前後に開放した開放空間で構成されており、これによりバスタブと床面との間の掃除が容易になる。
【図面の簡単な説明】
【００１４】
【図１】実施例のペット浴槽の斜視図である。
【図２】図１のペット浴槽の平面図である。
【図３】図１のペット浴槽の正面図である。
【図４】図１のペット浴槽の側面図である。
【図５】実施例に含まれる樹脂成形品のバスタブの長手方向一端側から見た図である。
【図６】図２のVI−VI線に沿った断面図である。
【図７】図２のVII−VII線に沿った断面図である。
【図８】バスタブの底に植設されたボルトを示すためのバスタブの部分断面図である。
【図９】図４の矢印IXで示す部分拡大断面図である。
【発明を実施するための形態】
【実施例】
【００１５】
以下に、添付の図面に基づいて本発明の好ましい実施例を説明する。
図１は実施例のペット浴槽の斜視図であり、図２は平面図、図３は正面図、図４は側面図である。図１〜図４を参照して、実施例のペット浴槽１は、平面視略長方形のバスタブ２と、このバスタブ２の長手方向両端から延びる左右一対の脚板部４、４とを有し、各脚板部４の下端に、高さ調整可能な複数のフット部材６が取り付けられている。なお、左右の脚板部４は、後に説明するフレーム８と側板４００とで構成され、側板４００の下端縁に沿って前後方向に延びるフレーム８に上述したフット部材６が取り付けられている。勿論、側板４００は必須ではなく、フレーム８と高さ調整可能なフット部材６とで、実質的に、ペット浴槽１の高さ調整可能な脚部が構成されている。なお、フレーム８及び側板４００はステンレス鋼から作られている。
【００１６】
バスタブ２は、成形型を使った樹脂一体成形品であり、樹脂成形の際に添加される着色は、例えばパステルグリーン、パステルピンクなど、柔らかな印象を与える色合いの色が採用される。バスタブ２は、図５、図６から最も良く分かるように、バスタブ本体２００の上端縁に沿って全周に亘って延びる周囲フランジ２０２を有し、この周囲フランジ２０２は、横方向外方（典型的には水平方向外方）に延びる横フランジ部２０２ａと、その外端から下方に垂下した外端垂下フランジ部２０２ｂとを有している。
【００１７】
バスタブ２は、図２に破線で示すように、バスタブ２の周囲フランジ２０２に沿って延びるメインフレーム８によって支持されており、また、メインフレーム８と周囲フランジ２０２との間には、図６から最も良く分かるように、木片からなるスペーサ１０が介装されている。図６の参照符号Ｈはスペーサ１０の高さを示す。このスペーサ１０の高さＨの値は、周囲フランジ２０２の外端垂下フランジ部２０２ｂの下端が、側面視したときに、メインフレーム８と干渉するように設定され、この外端垂下フランジ部２０２ｂとメインフレーム８との干渉により、バスタブ２は、その周囲を包囲するメインフレーム８に対して位置決めされる。また、外端垂下フランジ２０２ｂによって木片であるスペーサ１０を覆い隠すことができるため、ペット浴槽１の外観を向上することができる。
【００１８】
バスタブ２は、図２から最もよく分かるように、バスタブ本体２００の底２００ａの中央に平面視円形の凹所（ダストボックス）を備えた排水口２０４を有している。このダストボックス付き排水口２０４は、当業者であれば直ぐに分かるように、大きな直径Ｄを有しており、この大きな直径の排水口２０４によって、ペットをシャンプーした後に洗い落ちる毛が大量であったとしても円滑に排水することができる。
【００１９】
バスタブ２の周囲フランジ２０２の横フランジ部２０２ａと、バスタブ本体２００の底とに、合計４本のボルト１２が植設されている。具体的には、バスタブ２の一側では、横フランジ部２０２ａに２本のボルト１２が鉛直方向下方に向けて配設され（図７）、バスタブ２の他側では、バスタブ２の底に２本のボルト１２が鉛直方向下方に向けて配設されている（図８）。
【００２０】
図７〜図９を参照して、各ボルト１２は、平らなプレートで構成された平ヘッド１２ａと、この平ヘッド１２ａの中央から鉛直方向下方に向けて延びるネジ部１２ｂとを有し、平ヘッド１２ａがバスタブ２に固設されることにより、各ボルト１２がバスタブ２に一体化されている。
【００２１】
図９は、バスタブ本体２００の底２０２ａとメインフレーム８との関係を示す。バスタブ２を支持するフレームは、縦及び横に延びて主要な骨格を構成するメインフレーム８と、これを補強するサブフレーム１４とで構成されている。バスタブ２は、その周囲フランジ２０２とメインフレーム８との間に木片からなるスペーサ１０が配設されているのは上述した通りであるが、バスタブ２の底２００ａとメインフレーム８との間には、互いに平行に延びるメインフレーム８、８の間を横断して延びるサブフレーム１４が介装されている。サブフレーム１４は矩形の閉断面構造を有し、金属製（典型的にはステンレス鋼）である。すなわち、バスタブ２は、閉断面構造のサブフレーム１４の上に載置されている。
【００２２】
引き続き図９を参照して、サブフレーム１４には、その上方水平壁１４ａと下方水平壁１４ｂに第１の貫通孔１６を有し、この上下の水平壁１４ａ、１４ｂの第１の貫通孔１６は、鉛直方向に延びる同一の軸線上に配置されている。また、この第１の貫通孔１６と同軸に、メインフレーム８にも第２の貫通孔１８が形成されている。これら第１、第２の貫通孔１６、１８の直径は、バスタブ２の底２０２ａに植設されたボルト１２を受け入れるために、このボルト１２の直径よりも若干大きな値に設定されている。
【００２３】
図示を省略したが、周囲フランジ２０２をスペーサ（木片）１０を介して支持するメインフレーム８にも、バスタブ２の周囲フランジ２０２のボルト１２を受け入れる貫通孔（図示せず）が形成されており、この貫通孔の直径は、ボルト１２の直径よりも若干大きな値に設定されている。
【００２４】
バスタブ２をメインフレーム８に設置するには、メインフレーム８の上からバスタブ２を挿入して、バスタブ２の周囲フランジ２０２がメインフレーム８の上に来るように位置合わせしながら、このバスタブ２を静かに降下させる。これにより、バスタブ２の４本のボルト１２の各々が、これに対応する貫通孔１６、１８に侵入することで仮位置決めが完了する。バスタブ２の外端垂下フランジ部２０２ｂの下端がメインフレーム８と側面視で干渉しているのを確認したら、４本のボルト１２に蝶ナット２２を螺着させ、この蝶ナット２２を締め込むことでバスタブ２の組み付けが完了する。
【００２５】
勿論、上記の組み付け作業とは逆の作業を行うことで、バスタブ２をメインフレーム８から取り外すことができる。このように、バスタブ２がメインフレーム８に対して脱着可能であることから、例えばトリミング室の内装を色替えしたり、バスタブ２の一部に傷が付いたときには、メインフレーム８をそのまま使ってバスタブ２だけを交換することで新しいペット浴槽になる。
【００２６】
なお、バスタブ２の下方領域は、床面との間のスペースが左右一対の脚板４、４で仕切られているが、前後に向けて開放した開放空間となっており、これによりバスタブ２の下の床の掃除が容易であるという利点がある。
【符号の説明】
【００２７】
１        ペット浴槽
２        バスタブ
２００    バスタブ本体
２００ａ  バスタブの底
２０２    周囲フランジ
２０２ａ  横フランジ部
２０２ｂ  外端垂下フランジ部２０２ｂ
２０４    排水口
６        フット部材（高さ調整可能）
８        メインフレーム
１０      木片（スペーサ）
１２      ボルト
１２ａ    平ヘッド
１２ｂ    ネジ部
１４      サブフレーム
１４ａ    上方水平壁
１４ｂ    下方水平壁
１６      第１貫通穴（サブフレーム）
１８      第２貫通孔（メインフレーム）
２２      蝶ナット
【手続補正２】
【補正対象書類名】特許請求の範囲
【補正対象項目名】全文
【補正方法】変更
【補正の内容】
【特許請求の範囲】
【請求項１】
高さ調整可能な脚部を含む金属製のフレームに脱着可能に支えられた合成樹脂製のバスタブを有するペット浴槽であって、
前記バスタブが、バスタブ本体の上端縁に沿って全周に亘って延びる周囲フランジを有し、
該周囲フランジが、横方向外方に延びる横フランジ部と、該横フランジ部の外端から下方に垂下した外端垂下フランジ部とを有し、
前記フレームが、前記バスタブの前記横フランジ部の下に位置して該バスタブを包囲するメインフレームを有し、
前記バスタブを前記フレームの上方から設置したときに、前記メインフレームの上端部が、側面視したときに、前記周囲フランジの前記外端垂下フランジ部によって覆い隠されていることを特徴とするペット浴槽。
【請求項２】
前記バスタブが、該バスタブに植設された鉛直方向下方に延びる複数のボルトを有し、
前記フレームには、各ボルトを受け入れる貫通孔が形成され、
前記バスタブを前記フレームの上方から設置したときに、前記バスタブの前記ボルトが前記フレームの対応する貫通孔に受け入れられて、該フレームに対する前記バスタブの位置決めが行われると共に、該ボルトの下端にナットを螺着することで前記フレームに対して前記バスタブが固定される、請求項１に記載のペット浴槽。
【請求項３】
前記バスタブの前記横フランジ部に沿って延びる前記メインフレームと、該メインフレームと前記横フランジ部との間にスペーサが介装されると共に、前記外端垂下フランジ部の下端が、側面視したときに前記メインフレームと干渉している、請求項１又は２に記載のペット浴槽。
【請求項４】
前記バスタブの底から床面までのスペースが前後に開放した開放空間で構成されている、請求項３に記載のペット浴槽。
【手続補正３】
【補正対象書類名】図面
【補正対象項目名】図３
【補正方法】変更
【補正の内容】
【図３】
2011030516.tif 000012
【手続補正４】
【補正対象書類名】図面
【補正対象項目名】図４
【補正方法】変更
【補正の内容】
【図４】
2011030516.tif 000013